(57)【要約】【課題】セキュリティ室内に設置された端末または重要物保管部の使用において、セキュリティのレベル、利便性を向上させる個人認証装置を用いたセキュリティシステムを提供する。【解決手段】セキュリティ室で使用する鍵を管理し、且つ、第一の個人認証部を有する鍵管理装置と、セキュリティ室への入退室を管理し、且つ、第二の個人認証部を有する入退室装置と、セキュリティ室内に設置され、第三の個人認証部を有する端末装置のそれぞれが管理用サーバに接続され、鍵管理装置の第一の個人認証部で許可された人を認証して鍵の借用を許可し、鍵を借用した人の情報を管理用サーバを介して入退室装置及び特定の端末装置に伝達し、第二の個人認証部で正当な入室者が認証されるとセキュリティ室への入室が許可され、第三の認証部で正当な使用者が認証されると端末装置の使用が許可される。【選択図】図１
2010039921.tif 000002
【特許請求の範囲】
【請求項１】
セキュリティ室で使用する鍵を管理し、且つ、第一の個人認証部を有する鍵管理装置と、該セキュリティ室への入退室を管理し、且つ、第二の個人認証部を有する入退室装置と、該セキュリティ室内に設置され、第三の個人認証部を有する端末装置のそれぞれが管理用サーバに接続され、
前記鍵管理装置の前記第一の個人認証部で許可された人を認証して鍵の借用を許可し、鍵を借用した人の情報を前記管理用サーバを介して前記入退室装置及び特定の前記端末装置に伝達し、前記第二の個人認証部で正当な入室者が認証されるとセキュリティ室への入室が許可され、前記第三の認証部で正当な使用者が認証されると前記端末装置の使用が許可されることを特徴とする個人認証装置を用いたセキュリティシステム。
【請求項２】
セキュリティ室で使用する鍵を管理し、且つ、第一の個人認証部を有する鍵管理装置と、該セキュリティ室への入退室を管理し、且つ、第二の個人認証部を有する入退室装置と、該セキュリティ室内に設置される端末装置のそれぞれが管理用サーバに接続され、
前記セキュリティ室の前記第二の個人認証部で正当な退室者が認証されるとセキュリティ室からの退室が許可されて、退室者の情報を管理用サーバを介して前記鍵管理装置に伝達するとともに、前記端末装置のログオフを確認し、前記第一の個人認証部で正当な退室者が認証されると借用した鍵の返却が許可されることを特徴とする個人認証装置を用いたセキュリティシステム。
【請求項３】
請求項２の個人認証装置を用いたセキュリティシステムにおいて、前記第一の個人認証部により正当な退室者と認証されなかった場合、アラームを発することを特徴とする個人認証装置を用いたセキュリティシステム。
【請求項４】
セキュリティ室で使用する鍵を管理し、且つ、第一の個人認証部を有する鍵管理装置と、該セキュリティ室への入退室を管理し、且つ、第二の個人認証部を有する入退室装置と、該セキュリティ室内に設置され、第三の個人認証部を有する端末装置のそれぞれが管理用サーバに接続され、
前記鍵管理装置は、鍵が借用された時間を計測する借用時間監視部を有し、該借用時間監視部により計測された時間が所定の時間を超過した場合、前記管理用サーバを介してアラームを前記入退室装置又は前記端末装置へ送信することを特徴とする個人認証装置を用いたセキュリティシステム。
【請求項５】
セキュリティ室で使用する鍵を管理し、且つ、第一の個人認証部を有する鍵管理装置と、該セキュリティ室への入退室を管理し、且つ、第二の個人認証部を有する入退室装置と、該セキュリティ室内に設置され、第三の個人認証部を有する重要物保管部のそれぞれが管理用サーバに接続され、
前記鍵管理装置の前記第一の個人認証部で許可された人を認証して鍵の借用を許可し、鍵を借用した人の情報を前記管理用サーバを介して前記入退室装置及び特定の前記重要物保管部に伝達し、前記第二の個人認証部で正当な入室者が認証されるとセキュリティ室への入室が許可され、前記第三の認証部で正当な使用者が認証されると前記重要物保管部の開錠が許可されることを特徴とする個人認証装置を用いたセキュリティシステム。
【請求項６】
セキュリティ室で使用する鍵を管理し、且つ、第一の個人認証部を有する鍵管理装置と、該セキュリティ室への入退室を管理し、且つ、第二の個人認証部を有する入退室装置と、該セキュリティ室内に設置される重要物保管部のそれぞれが管理用サーバに接続され、
前記セキュリティ室の前記第二の個人認証部で正当な退室者が認証されるとセキュリティ室からの退室が許可されて、退室者の情報を管理用サーバを介して前記鍵管理装置に伝達するとともに、前記重要物保管部が施錠されている場合、前記第一の個人認証部で正当な退室者が認証されると借用した鍵の返却が許可されることを特徴とする個人認証装置を用いたセキュリティシステム。
【請求項７】
請求項６の個人認証装置を用いたセキュリティシステムにおいて、前記第一の個人認証部により正当な退室者と認証されなかった場合、アラームを発することを特徴とする個人認証装置を用いたセキュリティシステム。
【請求項８】
セキュリティ室で使用する鍵を管理し、且つ、第一の個人認証部を有する鍵管理装置と、該セキュリティ室への入退室を管理し、且つ、第二の個人認証部を有する入退室装置と、該セキュリティ室内に設置され、第三の個人認証部を有する重要物保管部のそれぞれが管理用サーバに接続され、
前記鍵管理装置は、鍵が借用された時間を計測する借用時間監視部を有し、該借用時間監視部により計測された時間が所定の時間を超過した場合、前記管理用サーバを介してアラームを前記入退室装置又は前記重要物保管部へ送信することを特徴とする個人認証装置を用いたセキュリティシステム。
【発明の詳細な説明】
【技術分野】
【０００１】
本発明は、個人認証装置を用いたセキュリティシステムに係り、特に、セキュリティ室への入退室を管理する個人認証システムを用いたセキュリティシステムに関する。
【背景技術】
【０００２】
重大な社会問題へ直結する不正アクセスや情報漏洩を、いかに防止し、管理していくかが問われている状況のなかで、セキュリティ室への入退室や、セキュリティ室内の端末に対する利用権限においては、主にＩＣカードやＩＤ、パスワード等を使用して利用者を特定し、ＩＣカード読取り装置や管理用サーバを用いてセキュリティ管理している。
【０００３】
このような従来のセキュリティ管理に関する技術として、特許文献１には、セキュリティ室内にある端末機器のログオン用パスワードをセキュリティ室へ入室する毎に発行し、発行したパスワードは入室者個人の携帯端末へ送信して、他者の介入を抑制するセキュリティ管理装置が記載されている。
【０００４】
また、特許文献２には、入室者の指紋情報と端末ログオン時の指紋情報とが合致した場合のみ、情報端末の使用を可能とし、また、端末ログオン時にＩＣカードへログオン情報を記録して、そのログオン情報をログオフ時に削除する作業を行い、退室時にはＩＣカード内のログオン情報の有無をチェックして、ＩＣカードにログオン情報が残っている場合にはセキュリティ室からの退室を拒否することで、退室時の端末ログオフの徹底を図るセキュリティシステムが記載されている。
【０００５】
【特許文献１】特開２００７−２４１３６８号公報
【特許文献２】特開２００２−１９７５００号公報
【発明の開示】
【発明が解決しようとする課題】
【０００６】
しかしながら、個人を特定するためにＩＣカードを使用する方式では、ＩＣカードの所持を忘れたり紛失をした場合、業務に支障が生じるため不便である。
【０００７】
また、特許文献１のように、セキュリティ室への入室の都度パスワードを自動発行し、発行したパスワードを個人の携帯端末へ送信する方式では、パスワードを受信する携帯端末を持ち主が所持しているとは限らず、また、受信したパスワードの管理は、携帯端末の持ち主に委ねられているためパスワード漏洩の危険性がある。さらに、パスワードは、所定の期間を経過した後は無効としているが、これは言い換えれば所定の期間内は有効であり、利用者が端末の電源を落とさず退室した場合などでは、端末が不正使用される問題が生じる。
【０００８】
この問題に対して、特許文献２では、端末をログオフしなければセキュリティ室から退室できない構成であるが、ＩＣカードへ記録した端末ログオン情報を削除することで実現しているため、端末のログオン情報を残すことができず、履歴の管理ができない。また、一時的な離席においても退室処理が必要となるため作業効率を低下させる要因となってしまう。
【０００９】
本発明の目的は、セキュリティ室内に設置された端末装置または重要物保管部の使用において、セキュリティのレベル、利便性を向上させる個人認証装置を用いたセキュリティシステムを提供することにある。
【課題を解決するための手段】
【００１０】
上記目的を達成するために、本発明の個人認証装置を用いたセキュリティシステムは、セキュリティ室で使用する鍵を管理し、且つ、第一の個人認証部を有する鍵管理装置と、該セキュリティ室への入退室を管理し、且つ、第二の個人認証部を有する入退室装置と、該セキュリティ室内に設置され、第三の個人認証部を有する端末装置のそれぞれが管理用サーバに接続され、前記鍵管理装置の前記第一の個人認証部で許可された人を認証して鍵の借用を許可し、鍵を借用した人の情報を前記管理用サーバを介して前記入退室装置及び特定の前記端末装置に伝達し、前記第二の個人認証部で正当な入室者が認証されるとセキュリティ室への入室が許可され、前記第三の認証部で正当な使用者が認証されると前記端末装置の使用が許可されるように構成する。
【００１１】
また、セキュリティ室で使用する鍵を管理し、且つ、第一の個人認証部を有する鍵管理装置と、該セキュリティ室への入退室を管理し、且つ、第二の個人認証部を有する入退室装置と、該セキュリティ室内に設置される端末装置のそれぞれが管理用サーバに接続され、前記セキュリティ室の前記第二の個人認証部で正当な退室者が認証されるとセキュリティ室からの退室が許可されて、退室者の情報を管理用サーバを介して前記鍵管理装置に伝達するとともに、前記端末装置がログオフされていない場合、前記端末装置をログオフし、前記第一の個人認証部で正当な退室者が認証されると借用した鍵の返却が許可されるように構成する。
【００１２】
また、端末装置使用者の退室時において、好ましくは、前記第一の個人認証部により正当な退室者と認証されなかった場合、アラームを発するように構成する。
【００１３】
また、好ましくは、前記鍵管理装置は、鍵が借用された時間を計測する借用時間監視部を有し、該借用時間監視部により計測された時間が所定の時間を超過した場合、前記管理用サーバを介してアラームを前記入退室装置又は前記端末装置へ送信するように構成する。
【００１４】
このように、本発明においては、鍵管理装置、セキュリティ室の入退室装置、端末装置のそれぞれに、個人認証装置を設けると共にこれらを管理用サーバで連携させるものである。また、セキュリティ室に設置された端末装置の代わりに、重要物保管部、例えば、金庫であっても、本発明の解決手段は、大きな変更を加えることなく適用することができる。
【発明の効果】
【００１５】
本発明によれば、セキュリティ室内に設置された端末装置または重要物保管部の使用において、セキュリティのレベル、利便性を向上させる個人認証装置を用いたセキュリティシステムを提供することができる。
【発明を実施するための最良の形態】
【００１６】
次に、本発明を実施するための最良の形態を、以下の実施例に基づき図面を参照しつつ説明する。
〔実施例１〕
図１は、本発明の実施例１の概略構成を示すブロック図である。
【００１７】
個人認証装置を用いたセキュリティシステムは、管理サーバ１００、鍵管理装置２００及びセキュリティ室３００から構成され、管理サーバ１００に、鍵管理装置２００、セキュリティ室３００の入退室装置３１０及びセキュリティ室３００の端末装置３２０が接続されている。
【００１８】
管理サーバ１００は、システム全体を管理するコンピュータであり、鍵借用（/返却）情報送受信部１１０、記憶部１２０及び制御部１３０を有する。鍵借用（/返却）情報送受信部１１０は、鍵管理装置２００に設けられた鍵借用（/返却）情報送受信部２４０との間で鍵１０の借用または返却に関するデータの送受信を行う。また、記憶部１２０は、端末コード発行部２３０で発行される端末コードを記憶する。
【００１９】
制御部１３０は、入（退）室予定者伝達部１３１、使用端末特定部１３２、アラーム部１３３を有する。入（退）室予定者伝達部１３１は、鍵情報（後述）に基づいて、セキュリティ室３００へ入室予定者または情報を伝達の入退室装置３１０へ入室予定者を伝達する。使用端末特定部１３２は、鍵情報から使用予定の端末装置３２０を特定し、特定した端末装置３２０へ使用予定者情報を伝達する。
【００２０】
鍵管理装置２００は、セキュリティ室３００で使用する鍵１０を保管する。鍵１０は、例えば、図示していないが、セキュリティ室３００に設置された作業机やキャビネットで使用する鍵である。
【００２１】
鍵管理装置２００は、認証部２１０、鍵借用（/返却）部２２０、端末コード発行部２３０、鍵借用（/返却）情報送受信部２４０、借用時間監視部２５０及び警報ブザー２６０を有する。認証部２１０は、本人確認のための個人認証装置であり、例えば、指静脈認証装置である。指静脈認証装置は、指の静脈を使った認証装置であり、予め記録された情報と比較することで、本人（個人）認証を行う装置である。認証部２１０では、鍵１０の借用または返却の際に、正当な借用者または返却者であるか否かの認証を行う。尚、本実施例では、認証部は、この認証部２１０の他に後述する認証部３１１、３３０についても認証部２１０と同様、指静脈認証装置とする。
【００２２】
鍵借用（/返却）部２２０では、鍵の借用または返却が行われる。端末コード発行部２３０は、鍵の借用時に端末装置の識別情報である端末コードを発行する。鍵借用（/返却）情報送受信部２４０は、管理サーバ１００の鍵借用（/返却）情報送受信部１１０との間で鍵１０の借用または返却に関するデータの送受信を行う。借用時間監視部２５０は、鍵１０が借用された時間を計測し、計測された時間が所定の時間を超過したか否かを監視する。警報ブザー２６０は、鍵の借用時間が所定の時間を超過した場合、アラーム音を発する。
【００２３】
セキュリティ室３００は、情報の目的外利用や外部からの侵入、機密漏洩などを防止するための室であり、入退室装置３１０、本人確認のための認証部３１１と、異常時に作動するアナウンス部３１２を有する。
【００２４】
端末装置３２０は、管理用サーバ１００に接続され、上述の入退室装置と同様に、認証部３３０と、異常を知らせるアナウンス部が設けられている。
【００２５】
次に、セキュリティ室３００に入退室する時の動作について説明する。まず、入室する時の動作について説明する。
【００２６】
図２は、セキュリティ室３００に入室して、端末装置３２０を使用する時の動作を説明するための流れ図である。尚、本発明の実施例における認証部は、指静脈認証装置として説明するが、これに限定されるものではない。
【００２７】
まず、セキュリティ室３００に入室を希望する者は、鍵管理装置２００における認証部２１０（例えば指静脈認証装置）で指静脈認証を実施する（ステップ２０１）。指静脈認証の結果、正当な鍵使用者である場合、鍵の借用が許可される（ステップ２０２）。一方、指静脈認証の結果、正当な鍵使用者であると認証されなかった場合、鍵は借用されない（ステップ２０３）。
【００２８】
鍵１０が借用されると、鍵管理装置２００は、管理サーバ１００に借用者、借用日時、端末コード、借用された鍵、借用時間等の鍵に係る鍵情報を送信する（ステップ２０４、ステップ２０５）。
【００２９】
入（退）室予定者伝達部１３１により、受信した鍵情報に基づいて、鍵１０の使用先となるセキュリティ室３００の入退室装置３１０へ入室予定者を伝達する（ステップ２０６）。また、借用者、借用された鍵、端末コード等の鍵情報から使用予定の端末装置３２０を特定し、特定した端末装置３２０へ使用予定者を伝達する（ステップ２１０）。
【００３０】
セキュリティ室３００では、入室希望者が正当な入室者であるか否かを認証するため、入室希望者に対して、入退室装置３１０の認証部３１１により指静脈認証が実施される（ステップ２０７）。指静脈認証の結果、正当な入室希望者である場合、セキュリティ室３００への入室が許可される（ステップ２０８）。
【００３１】
また、この入室許可を契機に、管理用サーバ１００は、端末装置３２０に対して起動を指示する（ステップ２１１）。尚、端末装置３２０を起動させる契機は、入室許可時に限らず、鍵１０の借用時（ステップ２０２）であってもよい。一方、ステップ２０７における指静脈認証の結果、一致しなかった場合、セキュリティ室３００への入室は許可されない（ステップ２０９）。
【００３２】
指静脈認証（ステップ２０７）により入室が許可（ステップ２０８）されると、端末３２０の使用希望者が正当な使用者であるか否かを認証するため、使用希望者に対して認証部３３０により指静脈認証が実施される（ステップ２１２）。指静脈認証の結果、正当な
使用希望者である場合、端末装置３２０へのログオンが許可される（ステップ２１３）。一方、指静脈認証の結果、一致しなかった場合、端末装置３２０へのログオンは許可されない（ステップ２１４）。
【００３３】
以上のように、端末装置３２０をログインするまでに、鍵１０の借用が許可された人の認証（第１の認証）、セキュリティ室３００への正当な入室者の認証（第２の認証）、及び端末装置３２０の正当な使用者の認証（第３の認証）の３ステップの認証を経る構成とすることにより、個人認証装置を用いたセキュリティシステムのセキュリティのレベルを高くすることができる。
【００３４】
次に、端末装置３２０の使用者がセキュリティ室を退室する時の動作について説明する。
【００３５】
図３は、セキュリティ室３００から退室して、鍵１０を鍵管理装置２００に返却するまでの動作を説明するための図である。
【００３６】
まず、セキュリティ室３００の入退室装置３１０の認証部３１１で、退室者が正当な退室者であるか否かを認証するため、退室者に対して入退室装置３１０の認証部３１１により指静脈認証が実施される（ステップ３０１）。その結果、正当な退室予定者であれば、退室予定者情報を管理サーバ１００へ送信する（ステップ３０２）。一方、指静脈認証の結果、一致しなかった場合、アラームが発せられる（ステップ３０４）。
【００３７】
管理サーバ１００は、入退室装置３１０から退室予定者情報を受信する（ステップ３０３）と、退室者が使用していた端末装置３２０がログオフされているか否かを確認する（ステップ３０５）。ステップ３０５において、ログオフが確認されなかった場合（Ｎｏの場合）、ステップ３０６では、管理サーバ１００は、端末装置３２０をログオフするよう制御する。一方、ステップ３０５において、ログオフが確認された場合（Ｙｅｓの場合）、鍵管理装置２００に鍵返却情報を伝達する。
【００３８】
鍵管理装置２００では、鍵返却情報を受信すると、鍵１０の返却予定者が正当な鍵借用者であるか否かを認証するため、鍵１０の返却予定者に対して鍵管理装置２００の認証部２１０により指静脈認証が実施される（ステップ３０８）。
【００３９】
指静脈認証の結果、正当な鍵１０の借用者であると認証された場合、鍵１０の返却が行われる（ステップ３０９）。また、鍵管理装置２００に鍵１０が返却されると、鍵１０が返却されたという鍵１０返却情報が、鍵管理装置２００の鍵借用（/返却）情報送受信部２４０から管理サーバ１００の鍵借用（/返却）情報送受信部１１０へ送信される。一方、指静脈認証の結果、一致しなかった場合、アラームが発せられる。（ステップ３１０）。
【００４０】
管理用サーバ１００は、鍵借用（/返却）情報送受信部２４０から受信した鍵１０返却情報に基づいて、端末装置３２０の電源が切断されているか否かを確認する（ステップ３１１）。ステップ３１１において、電源の切断が確認されなかった場合（Ｎｏの場合）、ステップ３１２に進む。ステップ３１２では、管理サーバ１００は、端末装置３２０に対してシャットダウンを指示し、電源を切断するよう制御する。一方、ステップ３１１において、電源の切断が確認された場合（Ｙｅｓの場合）、ステップ３１３に進み、退室時の動作は完了となる。
【００４１】
以上、入退室おいて、鍵の借用者、セキュリティ室への入室者及び端末装置３２０の使用者を指静脈認証することにより、正当な人物を認証することで、セキュリティを高める例について説明した。ここで、さらに、入退室における鍵の借用時間を監視するシステムについて図１と図４を用いて説明する。
【００４２】
図４は、鍵の借用時間の管理の動作を説明するための図である。
【００４３】
まず、鍵管理装置２００で鍵１０が借用されると、借用時間監視部２５０は、鍵１０の借用時間の計測を開始し、鍵１０の借用時間を監視する（ステップ４０１）。借用時間監視部２５０には、予め鍵の借用が許される時間を定めた借用許可時間が設定されており、借用時間監視部２５０は、鍵１０の借用時間がこの設定された借用可能時間の超過を監視する（ステップ４０２）。ここで時間超過と判定された場合（Ｙｅｓの場合）、ステップ４０４では、鍵の借用時間超過を警報するため、警報ブザー２６０によりアラーム音が発せられる。同時に、借用時間超過の情報が、鍵管理装置２００から管理用サーバ１００に送信される。
【００４４】
管理サーバ１００は、鍵管理装置２００からの借用時間超過のアラームを受信すると、このアラームを端末装置３２０へ転送する（ステップ４０７）。端末装置３２０は、管理サーバ１００からのアラームを受信すると（ステップ４０８）、アナウンス部３４０により鍵１０が借用時間切れの旨をアナウンスするとともに（ステップ４０９）、端末装置３２０のログオン/オフ部３２１によりログオフ処理へ移行する（ステップ４１０）。
【００４５】
また、管理サーバ１００は、鍵管理装置２００から受信した借用時間超過のアラームを入退室装置３２０へも転送する。入退室装置３２０では、管理サーバ１００からのアラームを受信すると（ステップ４１１）、アナウンス部３１２によりブザーや放送等で鍵１０の返却を促す旨のアナウンスが実施される（ステップ４１２）。
【００４６】
以上から、本実施例では、休憩時等で一時的にセキュリティ室３００から離席あるいは退出する場合、端末装置３２０はログオフ状態となっているため、速やかな作業再開が可能であり、また、作業終了などで鍵を返却した場合には、端末装置３２０がシャットダウンするため、不正使用防止だけでなく、省エネ化を図ることもできる。さらに、起動待ち時間やシャットダウン待ち時間が不要となるため、作業時間の短縮を図ることもできる。
〔実施例２〕
実施例１では、セキュリティ室に設置された端末装置を使用する場合を例として、個人認証装置を用いたセキュリティシステムを説明したが、セキュリティ室に設置される装置ないし設備は、端末装置に限らず重要物保管部でもよい。実施例２では、この重要物保管部として金庫を例に、個人認証装置を用いたセキュリティシステムについて説明する。
【００４７】
図５は、本発明の実施例２の概略構成を示すブロック図である。
【００４８】
ここで、実施例１を示す図１との構成上の違いは、セキュリティ室において、図１の端末装置３２０が、図４においては、これが金庫７２０に置き換わったことである。これに伴い、管理サーバ１００における使用端末特定部１３２（図１）が、金庫特定部５３２（図５）に置き換わっている。また、端末コード発行部（図１）が、金庫コード発行部（図５）に置き換わっている。その他の構成は同じであるので、図５において、図１と同じ構成のものについては、同じ番号を付してある。
【００４９】
次に、図６は、金庫の設置されたセキュリティ室へ入室する動作フローを示している。鍵の借用、入室等は、図２と同じ動作であり、唯一異なる金庫の開錠は、端末装置のログオンと同様である。
【００５０】
次に、図７は、金庫の設置してあるセキュリティ室からの退場、金庫の施錠の動作を示しているが、基本的動作は、図３の動作と同じであるので説明は省略する。
【００５１】
図８は、鍵の借用時間の管理動作を示しているが、この動作も、図４の動作と同じであるので説明を省略する。
【００５２】
尚、実施例１及び実施例２の退室時において、それぞれ認証部３３０、認証部７３０による認証を加える構成としてもよく、さらにセキュリティを向上させることができる。
【図面の簡単な説明】
【００５３】
【図１】本発明の実施例１の概略構成を示すブロック図である。
【図２】本発明の実施例１の入室時の動作を説明するための図である。
【図３】本発明の実施例１の退室時の動作を説明するための図である。
【図４】本発明の実施例１の鍵借用時間の管理の動作を説明するための図である。
【図５】本発明の実施例２の概略構成を示すブロック図である。
【図６】本発明の実施例２の入室時の動作を説明するための図である。
【図７】本発明の実施例２の退室時の動作を説明するための図である。
【図８】本発明の実施例２の鍵借用時間の管理の動作を説明するための図である。
【符号の説明】
【００５４】
１０：鍵、  １００：管理サーバ、  ２００：鍵管理装置、  ２５０：借用時間監視部、  ３００：セキュリティ室、  ３１０：入退室装置、  ３２０：端末装置、  ２１０、３１１、３３０、７３０：認証部、  ７２０：金庫。
【図１】
2010039921.tif 000003
【図２】
2010039921.tif 000004
【図３】
2010039921.tif 000005
【図４】
2010039921.tif 000006
【図５】
2010039921.tif 000007
【図６】
2010039921.tif 000008
【図７】
2010039921.tif 000009
【図８】
2010039921.tif 000010